(57)【要約】【課題】  施療椅子の背凭れ部倒伏時に生じる背凭れ部と座部との隙間を最小限に抑える事のできる施療椅子の背パッドを提供する。【解決手段】  施療椅子１ａの背凭れ部１１ａ表面に脱着自在に取着する背パッド２ａの下端部２１ａの左右両側にある下端両側隅部２１１ａ・２１１ａを下端中央部２１２ａより下方に延設するよう形成する。また要すれば、下端両側隅部２１１ａに適宜の施療機構２２ａを配設事により、人体尻部や大腿部、或いは腰部に対する左右両側からの施療作用をもたらす背パッドとして構成する事ができる。【選択図】  図３
2005211090.tif 000002
【特許請求の範囲】
【請求項１】
内部に施療機構を備えた背凭れ部と座部とを有する施療椅子の背凭れ部表面に脱着自在に取着され、該背凭れ部全域を覆い得る有クッション性の背パッドであって、該背パッドは、その下端両側隅部を下端中央部より下方に延設するよう形成され、施療者の尻部周囲に背パッドの下端部が位置するよう構成されている事を特徴とする施療椅子の背パッド。
【請求項２】
前記下端両側隅部に施療機構を配備させた事を特徴とする請求項１記載の施療椅子の背パッド。
【発明の詳細な説明】
【技術分野】
【０００１】
本発明は、人体に施療作用をもたらす施療椅子の起倒自在である背凭れ部に取り付ける施療椅子の背パッドに関するものである。
【背景技術】
【０００２】
従来の施療椅子では、座部と起倒自在である背凭れ部とを有する椅子本体の該背凭れ部内部に、上下動自在であり人体に施療作用をもたらす左右一対の施療子（揉み玉）や、圧縮空気給排装置にて圧縮空気を給排気する事により反復膨縮する膨縮袋などの施療機構を設けると共に、背凭れ部表面に対する人体背部の当接感及び施療機構がもたらす施療感を良好なものとしたりするための有クッション性の背パッドを設けている。
【０００３】
例えば、図７及び図８に示す施療椅子１は背凭れ部２表面に背パッド４を着脱自在に配設すると共に、該背パッド４の上部には上下位置の調節ができるように枕部３を着脱自在なものとしており、また図８で示すように背パッド４の下端部が座部後端部と略隙間無く直線状に近接させている。（特許文献１）
【０００４】
更に、図９に示す座部１と背凭れ部２及び該背凭れ部２表面を被覆する背パッド９を有する施療椅子であるが、該背パッド９の下端部は座部１と背凭れ部２との間の隙間１６に挿入するよう構成している。（特許文献２）
【特許文献１】特開２００１−２９３０５６号公報（第４頁、図５と図６）
【特許文献２】特開昭５９−２５７４５号公報（第３頁、図２）
【発明の開示】
【発明が解決しようとする課題】
【０００５】
ところで前記特許文献１のような構成の施療椅子は、背凭れ部を倒伏させた場合、該倒伏軸心の配設位置によっては、背パッドの下端部と座部後端部との間の隙間が生じ、見栄えが悪くなると共に使用者の尻部に不快感をもたらすものとなったりする事が生じ得る。
【０００６】
更に前記特許文献２のように背パッドの下端部を座部と背凭れ部との隙間に挿入する構成の施療椅子であるならば、座部後端部との間の隙間を塞ぐ事が可能であるが、倒伏させた背凭れ部を起立させた時に、背パッドの下端部よりも上方付近が前方に盛り上がり、使用者の尻部或いは腰部に不快感をもたらしたり、背凭れ部内部に配備した施療機構の施療効果を減じたりする事も考えられる。
【０００７】
そこで、本発明は、上記問題点を解消する為に成されたものであり、施療椅子の背凭れ部を倒伏させても、背パッドの下端部と座部後端部との間の隙間を最小限に抑える事によって施療椅子の見栄えを損なうことなく、且つ人体尻部での当接感を良好に保つ事のできる施療椅子の背パッドを提供する事を目的とするものである。
【課題を解決するための手段】
【０００８】
すなわち、本発明の施療椅子の背パッドは、内部に施療機構を備えた背凭れ部と座部とを有する施療椅子の背凭れ部表面に脱着自在に取着され、該背凭れ部全域を覆い得る有クッション性の背パッドであって、該背パッドは、その下端両側隅部を下端中央部より下方に延設するよう形成され、施療者の尻部周囲に背パッドの下端部が位置するよう構成されている事を特徴とするものである。
【０００９】
また、本発明の施療椅子の背パッドは、前記下端両側隅部に施療機構を配設させた事を特徴とするものである。
【発明の効果】
【００１０】
よって本発明の施療椅子の背パッドは、その下端両側隅部を下端中央部より下方に延設するよう形成され、施療者の尻部周囲に背パッドの下端部が位置するよう構成されている事を特徴とする為、背凭れ部を倒伏させた時に生じる背パッドの下端部と座部後端部との間に生じる隙間を最小限に抑える事ができるので、施療椅子の見栄えを保つと共に、人体尻部の当接感を良好に保つ事ができる。
【００１１】
また、本発明の施療椅子の背パッドは、前記下端両側隅部に施療機構を配設させた事を特徴とするものである為、人体尻部や大腿部、或いは腰部に対する左右両側からの施療作用をもたらす事ができる。
【発明を実施するための最良の形態】
【００１２】
以下に、本発明の施療椅子の背パッドを、図面に示す一実施形態に基づきこれを詳細に説明する。
図１は本発明の施療椅子の背パッドを施療椅子に取着した一実施形態を示す斜視図であり、図２は本発明の施療椅子の背パッドを施療椅子に取着して使用した一実施形態を示す使用状態図であり、図３は本発明の施療椅子の背パッドを施療椅子に取着する仕方の一実施形態を示す斜視説明図であり、図４は本発明の施療椅子の背パッドの一実施形態を示す斜視図であり、図５は本発明の施療椅子の背パッドを施療椅子に取着して背凭れ部を起立させた一実施形態を示す平面図であり、図６は本発明の施療椅子の背パッドを施療椅子に取着して背凭れ部を倒伏させた一実施形態を示す平面図であり、図７乃至図９は従来技術を示す参考図である。
【００１３】
すなわち、図１乃至図３の一実施形態で示したように本発明の施療椅子の背パッドである背パッド２ａは、人体各部位適所を施療する事のできる施療椅子１ａに採用するものである。該椅子本体１ａは、使用者の肩、腰、背中の接触部となり前後方向に起倒可能な背凭れ部１１ａと、使用者の尻の接触部となる座部１２ａと、該座部１２ａの前端部に枢設する上下動自在とした足載せ部１３ａと、座部１２ａの左右両側に立設する肘掛け部１４ａを備えている。
【００１４】
前記背凭れ部１１ａの内部には、ガイドレール１１１ａにより上下移動自在として位置変更が可能であり、人体背面に対し、揉み、叩き、ローリングなどの多様な施療動作が可能である左右一対の施療子１１２ａを備え、更には背凭れ部１１ａの左右表面適所に前記座部１２ａ下部空間に設けられた圧縮空気給排装置３ａによりホース（図示せず）を介して圧縮空気を給排気する事により反復膨縮する複数の膨縮袋１１３ａを備えている。尚、施療子１１２ａ及び膨縮袋１１３ａの他にも振動部材（例えばバイブレータ）などが適宜採用することも可能である。
【００１５】
前記座部１２ａは、内部に前記圧縮空気給排装置３ａにより前記ホース（図示せず）を介して圧縮空気を給排気する事により反復膨縮する膨縮袋などの施療機構１２１ａを備えたものとしており、尚、この施療機構１２１ａは前述したような膨縮袋によるもののみに限らず、揉み、叩き、振動、ローリング、押圧等の施療を行ない得る構成したものを採用する事もできる。
【００１６】
前記足載せ部１３ａは、必要に応じて、内部に前記圧縮空気給排装置３ａにより前記ホース（図示せず）を介して圧縮空気を給排気する事により反復膨縮する膨縮袋などの施療機構１３１ａを備えたものとしている。該施療機構１３１ａは他に揉み、叩き、振動、ローリングなどの施療可能なものも採用する事ができる。
【００１７】
本発明の施療椅子の背パッドである前記背パッド２ａは、有クッション性であり、前記背凭れ部１１ａ表面に対する人体背部の当接感及び施療機構がもたらす施療感を良好なものとしている。
【００１８】
また前記背パッド２ａは、前記施療椅子１ａの前記背凭れ部１１ａ表面側に脱着自在に取着するよう構成している。その取着手段として、例えば図示しないがファスナー（チャック）、面ファスナー、フック、弾性輪状部材、ボタンのような係脱自在な取付具を適所に用いる事ができる。
【００１９】
更に前記背パッド２ａは、図４に示すように該背パッド２ａの下端部２１ａの左右両側に形成された下端両側隅部２１１ａが背パッド２ａの下端部２１ａの下端中央部２１２ａよりも下方に長く延設するよう形成している。
【００２０】
図５に示すように前記背凭れ部１１ａが起立状態の時、前記背パッド２ａの前記下端部２１ａの前記下端中央部２１２ａが前記座部１２ａの座部後端位置Ｐと略々隙間無く当接すると共に、前記下端両側隅部２１１ａが下端中央部２１２ａより下方に長く形成された分だけ座部後端位置Ｐより座部１２ａ上面前方に位置するように背パッド２ａを背凭れ部１１ａに対して取着するよう構成している。
【００２１】
よって図６に示すように、前記背凭れ部１１ａが後方に倒伏する場合、前記下端中央部２１２ａと前記下端両側隅部２１１ａは夫々後方へ移動し、それに伴って背凭れ部１１ａと前記座部１２ａとの間の隙間Ａが生じる事になるのだが、該下端両側隅部２１１ａは依然として前記座部後端位置Ｐよりも座部１２ａ上面前方に位置しているため、従来の背パッドよりも隙間Ａを最小限に抑える事ができるのである。
【００２２】
また、本発明の施療椅子の背パッドである前記背パッド２ａは、図４に示すように前記下端両側隅部２１１ａに施療機構２２ａを配設するよう構成する事もできる。前記圧縮空気給排装置３ａによりホース（図示せず）を介して圧縮空気を給排気する事により反復膨縮する膨縮袋等の施療機構２２ａを配する事により、人体尻部や大腿部、或いは腰部に対する左右両側からの施療作用をもたらす事ができる。尚、該施療機構２２ａは他に揉み、叩き、振動、ローリングなどの施療可能なものも採用する事ができるものとする。
【００２３】
更に、本発明の施療椅子の背パッドである前記背パッド２ａは、図１及び図３に示すように前記座部１２ａの中央後部であり人体大腿部付け根付近を当接膨縮する中央膨縮体１２２ａを配設している。該中央膨縮体１２２ａが前記圧縮空気給排装置３ａによりホース（図示せず）を介して圧縮空気を給排気する事により反復膨縮施療を実施できる。
【００２４】
また、前記中央膨縮体１２２ａは、前記背パッド２ａの前記下端両側隅部２１１ａに配設する施療機構２２ａと併動するよう構成する事ができる。すなわち、施療機構２２ａが施療動作を行う時、中央膨縮体１２２ａを反復膨縮或いは膨縮保持させるならば、人体尻部周囲においてさらに効果的な施療効果を発揮する事になるのである。
【００２５】
更にまた、前記背パッド２ａに適宜、温熱手段や電位治療及び低周波治療手段などの付加的な機構である付加機構２３ａを設ける事も可能である。
【図面の簡単な説明】
【００２６】
【図１】本発明の施療椅子の背パッドを施療椅子に取着した一実施形態を示す斜視図である。
【図２】本発明の施療椅子の背パッドを施療椅子に取着して使用した一実施形態を示す使用状態図である。
【図３】本発明の施療椅子の背パッドを施療椅子に取着する仕方の一実施形態を示す斜視説明図である。
【図４】本発明の施療椅子の背パッドの一実施形態を示す斜視図である。
【図５】本発明の施療椅子の背パッドを施療椅子に取着して背凭れ部を起立させた一実施形態を示す平面図である。
【図６】本発明の施療椅子の背パッドを施療椅子に取着して背凭れ部を倒伏させた一実施形態を示す平面図である。
【図７】従来技術を示す図面である。
【図８】従来技術を示す図面である。
【図９】従来技術を示す図面である。
【符号の説明】
【００２７】
１ａ  施療椅子
１１ａ  背凭れ部
１２ａ  座部
１４ａ  肘掛け部
２ａ  背パッド
２１ａ  下端部
２１１ａ  下端両側隅部
２１２ａ  下端中央部
２２ａ  施療機構
２３ａ  付加機構
【図１】
2005211090.tif 000003
【図２】
2005211090.tif 000004
【図３】
2005211090.tif 000005
【図４】
2005211090.tif 000006
【図５】
2005211090.tif 000007
【図６】
2005211090.tif 000008
【図７】
2005211090.tif 000009
【図８】
2005211090.tif 000010
【図９】
2005211090.tif 000011